(57)【特許請求の範囲】
【請求項１】
帯状に連続したウェブに印刷する印刷部と、
前記ウェブを一対のローラで挟んで前記印刷部に搬送させるウェブ搬送機構と、
前記ウェブ搬送機構の上流に、アームの先端に押圧ローラと、該押圧ローラに対して前記ウェブを挟んで回転駆動が可能なストッパとからなるバッファ機構を有し、
前記バッファ機構は、前記ストッパを回転駆動させて、前記ウェブ搬送機構との間に一定のウェブの弛みを付与する印刷装置において、
印刷停止時、前記付与される一定のウェブの弛みを、前記ウェブ搬送機構の回転が安定する助走距離として３／４インチ以上で、且つ、速度が安定して撓み量が制御しやすくなる長さ分だけウェブを巻き戻し、
印刷再開時、前記押圧ローラと前記ウェブが当接するタイミングは、ウェブの頁間の印刷禁止領域と前記印刷部とが対向するタイミングであることを特徴とする印刷装置。
【請求項２】
請求項１記載の印刷装置において、
前記ウェブ搬送機構のストッパは、
装置本体のフレームに回転自在に固定され、
前記印刷停止時に、前記押圧ローラに前記ウェブを挟んで前記ストッパが当接することを特徴とする印刷装置。
【請求項３】
請求項２記載の印刷装置において、
前記押圧ローラは、ローラの一端にギヤを有し、
前記ストッパは、前記押圧ローラのギヤに歯合可能なギヤを有することを特徴とする印刷装置。
【発明の詳細な説明】
【技術分野】
【０００１】
本発明は、帯状に連続した媒体（以下、「ウェブ」という）に印刷する印刷装置に関し、特に、ウェブの張力可変機構を持つ印刷装置に関する。
【背景技術】
【０００２】
図７に示すような印刷装置が知られている。まず、図７を参照して、従来の印刷装置Ｐの概略について説明する。
図７において、給紙装置（図示せず）から送り出されたウェブＷは、搬送ローラ２０に案内されウェブＷを一時的に蓄える蓄積部１９に送り込まれる。蓄積部１９では、ウェブＷは弛んでおり、ウェブＷに張力がほとんど掛っていない状態である。蓄積部１９のウェブＷの搬出部にはエッジを規制する一対のガイド部材２１がウェブ端部に各々設けられている。
【０００３】
次に、ウェブＷは、ガイドシャフト１３、ガイド７を経て主にウェブＷを搬送する搬送ローラ８、９によって転写部１６、定着装置１７に送り込まれる。搬送ローラ９は駆動源を持つ駆動ローラとして設けられており、搬送ローラ８はバネの弾性力によってウェブＷを介して搬送ローラ９に圧接された従動ローラとして設けられている。
【０００４】
次に、図５を参照して、バッファ機構１およびウェブガイド機構の具体的な構成を説明する。
バッファ機構１は、ローラ４ａと、ローラ４ａを自由端に固定し回動可能に支持されウェブ端部に各々設けられたアーム５（以下、ローラ４ａとアーム５を一体に構成したものをテンションアームという）と、ウェブＷにローラ４ａを付勢するためのバネ６を有し、その上流側にはウェブ支持ローラ２とエッジガイド２１を支持するエッジガイドシャフト２１ａ、２１ｂからなるウェブガイド機構が設けられている。
【０００５】
ここで、ウェブＷの種類（連量及び幅）は多種多様にわたるため、ウェブＷがエッジガイドシャフト２１ａ，２１ｂを通過する時に発生するウェブの張力はその種類により異なる。例えば、薄いウェブの場合、発生する張力が弱すぎるとウェブＷの走行が不安定となり、蛇行が発生してしまい、ジャムの発生などにより正常なウェブの搬送が不可能となってしまう。逆に、張力が強すぎるとウェブＷが破断してしまうといった不具合があった。
【０００６】
そこで、図６（ａ）に示すように、ウェブＷの張力の強弱を目視可能なバッファ機構１を設け、ウェブの種類によってエッジガイドシャフト２１ａ，２１ｂの傾きを変えウェブＷの巻き付け角を変化させることにより、張力を変化させてウェブの蛇行を無くし、常に一定で良好な印刷品質を得ている。なお、このような事例としては、例えば特許文献１に報告されている。
図６（ｂ）に示すように、エッジガイドシャフト２１ａを時計回りに回すことによりウェブの巻き付け角が増加し、ウェブＷに与える負荷が増加しウェブＷの張力が増す。逆に、反時計方向にエッジガイドシャフト２１ａを回すとウェブの巻き付け角は減少しウェブの張力が減少する。
【０００７】
次に、図５を参照して、バッファ機構１のテンションアームについて述べる。前述したように、テンションアームの位置により走行中におけるウェブＷの張力の強弱が目視可能である。ウェブＷの張力が弱い場合は、バネ６を伸ばすことができずローラ４ａの位置は左側に位置する。逆にウェブＷの張力が強い場合はバネ６を伸ばす方向に張力が働き右側に位置する。
図５は、印刷停止時のバッファ機構１の概略図でありウェブＷに張力は掛っていない。この時、テンションアームはローラ４ａの自重によりフレーム（図示せず）に取付けられたゴムストッパ１８にアーム５の間に設けられたシャフト１０が当接することにより保持されている。
印刷停止時に印刷装置はウェブＷに対し、次の印刷開始に備え、以下の制御を行っている。ウェブＷにおける印刷開始位置を一定にするため、転写点を基準にウェブ搬送装置に設けられているウェブ搬送モータ（図示せず）が停止した位置からウェブ搬送モータを逆回転させてウェブＷを一定量戻すように制御している。
【０００８】
この時、走行しているウェブＷを停止させ、戻し動作に入るまでの時間にテンションアームにより上流側のウェブＷが押し上げられ、図５に示す一点鎖線のような弛みがウェブＷに生じていた。この原因は、テンションアームにウェブＷの張力が掛らなくなったため、テンションアームの自重で下がる際にウェブＷを引張ってしまうからであり、弛みの量は、ウェブの厚さ及び幅により異なり制御不可能であった。
さらに、ウェブＷとローラ４ａの間に制御不可能な弛みが生じている状態から印刷を開始すると、ウェブ搬送機構によりウェブＷが搬送され、ウェブＷがローラ４ａに当接する衝撃でウェブＷの搬送が妨げられてウェブＷの均一な搬送ができず、感光体ドラムから印刷部を転写する際にウェブＷのぶれが生じ、ひいては印刷品質に印刷ぶれが発生するといった問題があった。
【０００９】
上記課題を解決するために、特許文献２には、搬送機構の上流側に設けられたウェブに張力を与えるウェブ張力付与機構が、回動可能なアームと、アームの先端に支持されてウェブに張力を付与するドラムと、アームに対してウェブの搬送方向と反対方向に揺動力を付与するバネとを有するウェブ搬送装置において、ドラムをウェブの搬送方向に移動可能に支持し且つドラムをウェブに向かって押圧するバネを備えた構成が記載されている。
これにより、印刷終了時にウェブの弛みを無くし、印刷開始時における衝撃の発生を防ぐことによりウェブの搬送を均一に保ち、転写点でのぶれの無い良好な印刷品質を得ることが可能である。
【００１０】
また、上記の課題に対して、特許文献３には、送り穴を持たないウェブの搬送を行なう搬送機構と該搬送機構の上流側に設けられたウェブガイド機構と、ウェブに与えられる張力の強弱を目視するためのバッファ手段と、を有するウェブ搬送装置において、バッファ手段がウェブに当接し、ウェブの進行方向に対し回転可能なローラと、ローラを保持する一対のアームで構成されたウェブ搬送装置が記載されている。
この構成によっても、バッファ手段近傍に生じたウェブの弛みを無くしつつ、印刷開始時におけるウェブとテンションアームのローラとの衝撃を緩和させることが可能となる。
【００１１】
また、特許文献４にあっては、張力発生ローラの初期位置を、ウェブ張力の発生が少なくなるところに固定し、ウェブが動き始めるにしたがって徐々にウェブの張力を上げるようにローラの回転を制御しているので、印刷開始時の急激且つ過剰なウェブ張力の発生を抑制することが可能となる。したがって、ウェブ搬送負荷の急激な変化を抑えることができ、その結果、ウェブ搬送機構の搬送速度の変化を微小にできるため転写ぶれを低減することが可能となる。
【００１２】
また、特許文献５には、ウェブの搬送開始直後の転写ぶれを抑制しつつ、張力のかかりにくいウェブの搬送安定性を確保し、様々なウェブに対応可能な高印刷品質の印刷装置を提供することを目的として、張力のかかりやすいウェブから張力のかかりにくいウェブまで様々な種類のウェブに適正な張力を付与するため、張力発生ローラとは別に動作する張力調整ガイドを備えた構成が記載されている。
【発明の概要】
【発明が解決しようとする課題】
【００１３】
ところで、従来の印刷装置にあっては、６００ｄｐｉの印刷装置に適用した場合、印刷ぶれが皆無ではなかったが、許容範囲内であった。
しかしながら、１２００ｄｐｉの印刷装置では、グラフィックなどのニーズに対応するため、印刷ぶれの許容範囲が狭くなり、その結果、印刷ぶれの問題が再度発生するといった問題があった。
本発明は、高密度印刷においても、印刷ぶれの無い良好な印刷品質での印刷が行える印刷装置を提供することを目的とする。
【課題を解決するための手段】
【００１４】
上記課題を解決するために、請求項１記載の発明は、帯状に連続したウェブに印刷する印刷部と、前記ウェブを一対のローラで挟んで前記印刷部に搬送させるウェブ搬送機構と、前記ウェブ搬送機構の上流に、アームの先端に押圧ローラと、該押圧ローラに対して前記ウェブを挟んで回転駆動が可能なストッパとからなるバッファ機構を有し、前記バッファ機構は、前記ストッパを回転駆動させて、前記ウェブ搬送機構との間に一定のウェブの弛みを付与する印刷装置において、印刷停止時、前記付与される一定のウェブの弛みを、前記ウェブ搬送機構の回転が安定する助走距離として３／４インチ以上で、且つ、速度が安定して撓み量が制御しやすくなる長さ分だけウェブを巻き戻し、印刷再開時、前記押圧ローラと前記ウェブが当接するタイミングは、ウェブの頁間の印刷禁止領域と前記印刷部とが対向するタイミングであることを特徴とする。
【００１５】
請求項２記載の発明は、請求項１記載の発明において、  前記ウェブ搬送機構のストッパは、装置本体のフレームに回転自在に固定され、前記印刷停止時に、前記押圧ローラに前記ウェブを挟んで前記ストッパが当接することを特徴とする。
【００１６】
請求項３記載の発明は、請求項２記載の発明において、前記押圧ローラは、ローラの一端にギヤを有し、前記ストッパは、前記押圧ローラのギヤに歯合可能なギヤを有する、ことを特徴とする。
【発明の効果】
【００１７】
本発明によれば、高密度印刷においても、印刷ぶれの無い良好な印刷品質での印刷が行える印刷装置を提供することができる。
【図面の簡単な説明】
【００１８】
【図１】本発明の実施形態に係る印刷装置Ｐを示す概略図である。
【図２】本発明の実施形態に係る印刷装置Ｐのバッファ機構の具体的な構成例を示す図である。
【図３】本発明の実施形態に係る印刷装置Ｐのバッファ機構に設けられたローラの具体的な構成例を示す図である。
【図４】本発明の実施形態に係る印刷装置Ｐがウェブを搬送しているときの状態を示す説明図である。
【図５】従来の印刷装置Ｐに設けられたバッファ機構およびウェブガイド機構の構成を示す図である。
【図６】従来の印刷装置Ｐに設けられたウェブガイド機構の動作を説明するための説明図（ａ）（ｂ）である。
【図７】従来の印刷装置Ｐを示す概略図である。
【発明を実施するための形態】
【００１９】
図１を参照して、本発明の実施形態に係る印刷装置Ｐについて説明する。
図１において、給紙装置（図示せず）から送り出されたウェブＷは、搬送ローラ２０に案内されウェブＷを一時的に蓄える蓄積部１９に送り込まれる。蓄積部１９では、ウェブＷは弛んでおり、ウェブＷに張力がほとんど掛っていない状態である。蓄積部１９のウェブＷの搬出部にはエッジを規制する一対のガイド部材２１がウェブ端部に各々設けられている。
【００２０】
次に、ウェブＷは、ガイドシャフト１３、ガイド７を経て主にウェブＷを搬送する搬送ローラ８、９によって転写部１６、定着装置１７に送り込まれる。搬送ローラ９は駆動源を持つ駆動ローラとして設けられており、搬送ローラ８はバネの弾性力によってウェブＷを介して搬送ローラ９に圧接された従動ローラとして設けられている。
上記搬送ローラ８、９は、ウェブＷを挟んで搬送させる一対のローラであり、ウェブ搬送機構を構成している。
【００２１】
次に、図２を参照して、バッファ機構１およびウェブガイド機構の具体的な構成を説明する。なお、図２は、本発明の実施形態に係る印刷装置が印刷停止時の状態を示す。
バッファ機構１は、ウェブの張力の強弱を目視するために、ローラ４ａと、ローラ４ａを自由端に固定し回動可能に支持されウェブの幅方向の両端部側に各々設けられたアーム５と、（以下、ローラ４ａとアーム５を一体に構成したものテンションアームという）ウェブＷにローラ４ａを付勢するためのバネ６を有している。
ウェブを挟んで搬送する搬送ローラ８，９により構成される上記ウェブ搬送機構の上流に設けられ、上記搬送ローラ８，９に対して、押圧ローラ４ａとの押圧力によってウェブの張力を変化させるウェブ張力可変機構を構成している。
バッファ機構１の上流側には、ウェブ支持ローラ２とエッジガイド２１を支持するエッジガイドシャフト２１ａ、２１ｂからなるウェブガイド機構が設けられている。
【００２２】
ここで、ウェブＷの種類（連量及び幅）は多種多様にわたるため、ウェブＷがエッジガイドシャフト２１ａ，２１ｂを通過する時に発生するウェブの張力はウェブＷの種類により異なる。
【００２３】
次に、図３を参照して、バッファ機構に設けられたローラ４ａの具体的な構成について説明する。
図３に示すように、バッファ機構１に設けられたローラ４ａは、２つ軸受け１２，１２を介してアーム５に保持されており、本体の後側にギヤ１５がローラ４ａに固定されて回転可能となっている。
【００２４】
図２に戻り、印刷装置Ｐ本体の後側にはストッパ３が回転自在にフレームに固定されている。ストッパ３は、ローラ４ａと同等の長手方向の長さを有し、ギヤ１４が設けられている。ギヤ１４は、ローラ４ａに設けられたギヤ１５に歯合可能に設けられている。また、ストッパ３は駆動源であるモータ（図示せず）に連結されており、回転可能となっている。
【００２５】
次に、図２を参照して、バッファ機構１のテンションアームについて述べる。図２は、印刷停止時のバッファ機構１の概略図を示す。
ストッパ３とローラ４ａとは、回転駆動が可能な一対のウェブ搬送ローラを構成しており、印刷停止時に、ウェブ張力可変機構とバッファ機構との間に一定のウェブの弛みを付与する。
前述したように、テンションアームの位置により走行中におけるウェブＷの張力の強弱が目視可能である。ウェブＷの張力が弱い場合は、バネ６を伸ばすことができずローラ４ａの位置は左側に位置する。逆にウェブＷの張力が強い場合はバネ６を伸ばす方向に張力が働き右側に位置する。
図２では、印刷停止時のバッファ機構１の状態を示しており、ウェブＷに張力は掛っていない。この時、テンションアームはローラ４ａの自重により印刷装置Ｐのフレーム（図示せず）に取付けられたストッパ３にローラが当接することにより保持されている。
【００２６】
＜印刷停止時＞
図４に示すウェブＷの搬送状態から、図２に示す停止状態に至るまでのウェブＷの様子について説明する。
走行しているウェブＷを停止させると、テンションアームにウェブＷの張力が掛らなくなり、テンションアームが自重で下がる際に、すなわち、ローラ４ａがストッパ３に当接するまでの間に、テンションアームがウェブＷを引張ってしまう。
【００２７】
図２に示すように、印刷停止時において、ストッパ３にウェブＷを介してローラ４ａが当接した状態となり、ギヤ１４とギヤ１５とがテンションアーム５の自重とバネ６の反力により歯合する。このとき、ストッパ３とローラ４ａが当接することにより、ストッパ３とローラ４ａとの中心間距離が保たれ、ストッパ３とローラ４ａとがウェブＷを介して噛み合う。
【００２８】
＜巻き戻し時＞
印刷停止時に印刷装置はウェブＷに対し、次の印刷開始に備え、以下の制御を行っている。ウェブＷにおける印刷開始位置を一定にするため、転写点を基準にウェブ搬送装置に設けられているウェブ搬送モータ（図示せず）が停止した位置からウェブ搬送モータを逆回転させてウェブＷを一定量戻すように制御している。
詳しくは、印刷停止の後に、すなわち、ストッパ３とローラ４ａとが当接してから一定時間後に、ストッパ３はモータ（図示しない）の回転により時計周りに駆動され、同時にギヤ１４が時計周りに回転する。このとき、ギヤ１４とギヤ１５とが歯合しているので、ギヤ１４の回転はギヤ１５に伝達される。
【００２９】
この結果、ローラ４ａはギヤ１５を介し反時計方向に回転し、ウェブＷは搬送方向（Ａ→）と逆方向に進行し、バッファ機構１周辺に発生したウェブＷの弛みは、図２示す実線のように蓄積部１９へと戻される。このとき、一点鎖線に示すウェブＷの弛み量σが印刷頁の１頁分の長さとなるように、上記モータは一定時間経過後に停止するように制御部（図示しない）により制御されている（ウェブＷの弛みの無い状態を実線で示す）。
このように、押圧ローラ４ａにウェブＷを挟んでストッパ３が当接することで、ストッパ３を回転させてウェブＷに弛みを付与することができる。
押圧ローラ４ａは、ローラ４ａの一端にギヤ１５を有し、ストッパ３は、押圧ローラ４ａのギヤ１５に歯合可能なギヤ１４を有することで、ストッパ３を回転させて歯合状態にあるギヤ１４，１５を回転させ、ストッパ３と押圧ローラ４ａとで挟んでウェブＷに弛みを付与することができる。
【００３０】
＜印刷禁止領域＞
ここで、ウェブＷの印刷禁止領域について説明する。
上述した印刷禁止領域を例えば１／４インチ×２＝１／２インチとし、印刷停止時の巻き戻し量を例えば３／４インチ（０．０２秒）  ６６ｉｐｓ（ｉｎｃｈ／ｓｅｃｏｎｄ）としてもよい。このとき、ガイド板７は転写点からかなり離れており、３／４インチの印刷停止時の巻き戻し量では、最終ページの後端の未定着部分がガイド板７に到達しないことが想定できる。すなわち、印刷停止時の巻き戻し量が３／４インチまではガイド板７に接触しないが、それ以上だとガイド板７、感光体ドラム等に接触の可能性がある。
そこで、巻き戻し量を３／４インチとし、これとは別に弛み量σを設定し、総巻き戻し量（３／４インチ＋σ）分だけ巻き戻すこととする。すなわち、巻き戻し量は、３／４インチとし、弛み量σはストッパ３とローラ４ａとで発生させることとし、弛み量（１頁分の量）は、ストッパ３とローラ４ａとの送り量として制御する。
【００３１】
バッファ機構１の付近では、用紙間の印刷禁止領域は、（１）印刷停止時、（２）巻き戻し時、（３）停止中、（４）用紙搬送開始時、（５）転写開始時に対して、頁長によって変わり、一定とはならない。従って、頁長が例えば１２インチの場合と１１インチの場合とでは、（１）〜（４）の位置も異なる。
【００３２】
弛み量σを印刷ページの１ページ分の長さとしたのは、１ページ後には速度が安定して弛み量が制御し易くなっているという理由からである。
また、巻き戻し量を３／４インチでも理論上は可能なものとなる。すなわち、モータの起動トルクに起因した立ち上がり時間があるため、起動時のモータの回転速度は不安定となるが、ウェブＷ上で約３／４インチ分だけモータが回転すれば安定するので、助走距離として巻き戻し量を想定すればよい。
このため、実際は、３／４インチの長さよりも制御し易いように、１ページ分の弛み量を積極的に設け、転写部１６付近にあるページの印刷禁止領域に対して次ページの印刷禁止領域が、転写部１６に差し掛かるタイミングで、テンションアームにウェブＷが当接するように制御すればよい。
【００３３】
＜用紙搬送開始時＞
次に、図２および図４を参照して、ウェブＷの搬送を開始してからウェブＷが搬送状態になるまでの動作について説明する。
巻き戻しの結果、図２に示す実線のようにウェブＷは蓄積部１９へと戻されている。用紙搬送開始時に、ウェブ搬送モータ（図示しない）に駆動電力を与えると、搬送ローラ８，９が駆動され、搬送ローラ８，９にウェブＷが挟まれて搬送方向（矢印Ａ）への搬送が開始される。ウェブ搬送が開始されると、ウェブＷの張力が徐々に強くなってローラ４ａに加わる搬送方向（矢印Ａ）への張力が増し、バネ６を伸ばす方向に張力が働く。
この結果、図４に示すように、搬送速度を均一に保たれながらローラ４ａは、ウェブＷの搬送方向（矢印Ａ）の搬送力により、所定の位置に押し上げられる。同時に、ストッパ３のギヤ１４からローラ４ａのギヤ１５の歯合状態が解除されて解放される。
この時、ローラ４ａはウェブＷに付勢され、ウェブＷの搬送方向（矢印Ａ）への走行によってローラ４ａからウェブＷへ与える負荷は固定されたローラに比べ少なく、安定したウェブＷの走行が可能である。
【００３４】
＜印刷開始時＞
そして、次の印刷が開始すると、図４に示すように、ウェブＷは、搬送方向Ａに引張られ、丁度印刷頁１頁の長さ分だけ搬送された時にウェブＷがローラ４ａと当接する。同時に、このタイミングにおいて、印刷禁止領域と転写部１６とが、対向する位置関係となる。
ここで、印刷装置Ｐが連続紙に印刷する連続紙印刷装置の場合、連続紙の頁間には印刷禁止領域が設けられており、その領域は印刷を行わないのが一般的である。つまり、用紙がローラ４ａと当接し、衝撃が発生し、ウェブＷの搬送が不安定になるタイミングでは、転写部１６は印刷される画像に対向しておらず、感光体ドラム上の印刷潜像がウェブＷに転写されないため、転写ぶれが発生しない。
ここで、印刷開始時において、ウェブ搬送ローラによって付与されたウェブＷの弛み量σを印刷頁の長さと同等の長さとし、かつ、ウェブ張力付与機構とウェブＷが当接するタイミングで、ウェブＷの頁の間において、印刷禁止領域と転写部とが対向する位置関係になる。
【００３５】
印刷開始時に、ウェブＷがテンションアームに当接するタイミングでは、モータの起動に起因してウェブＷの走行が不安定になっても、ウェブＷに転写される潜像が感光体ドラム上に無い（頁間の印刷禁止領域である）ため、転写ぶれが発生することが皆無となる。
【００３６】
本実施形態に係る印刷装置においては、帯状に連続したウェブに印刷する印刷部と、ウェブを一対のローラで挟んで搬送させるウェブ搬送機構と、ウェブ搬送機構の上流に、アームの先端に押圧ローラと、該押圧ローラに対してウェブを挟んで回転駆動が可能なストッパとからなるバッファ機構を有し、バッファ機構は、ストッパを回転駆動させて、ウェブ搬送機構との間に一定のウェブの弛みを付与する印刷装置において、印刷停止時、付与される一定のウェブの弛みを、印刷頁と同等の長さとなるようにウェブを巻き戻し、印刷再開時、押圧ローラとウェブが当接するタイミングは、ウェブの頁間の印刷禁止領域と印刷部とが対向するタイミングであることで、印刷開始時に、高密度印刷においても、印刷ぶれの無い良好な印刷品質での印刷が行えるようにウェブを搬送することができる。
特に、ウェブがウェブ張力付与機構に当接するタイミングを転写部に対向するウェブの位置を頁間の印写禁止領域に設定することが可能となり、ウェブがウェブ張力付与機構に当接する時の衝撃による転写ぶれが発生することが無く、良好な印刷品質を得ることができる。
【００３７】
本実施形態に係る印刷装置においては、ウェブ搬送機構のストッパは、装置本体のフレームに回転自在に固定され、印刷停止時に、押圧ローラにウェブを挟んでストッパが当接することで、ストッパを回転させてウェブに弛みを付与することができる。
【００３８】
本実施形態に係る印刷装置においては、押圧ローラは、ローラの一端にギヤを有し、ストッパは、押圧ローラのギヤに歯合可能なギヤを有することで、ストッパを回転させて歯合状態にあるギヤを回転させ、ストッパと押圧ローラとで挟んでウェブに弛みを付与することができる。
【産業上の利用可能性】
【００３９】
本発明は、ウェブに印刷するウェブ印刷装置、搬送装置、印刷装置に利用できる。
【符号の説明】
【００４０】
１    バッファ機構
２    ウェブ支持ローラ
３    ストッパ
４ａ    ローラ
５    アーム
６    バネ
７    ガイド
８，９    搬送ローラ
１０    シャフト
１３    ガイドシャフト
１６    転写部
１７    定着装置
１８    ゴムストッパ
１９    蓄積部
２０    搬送ローラ
２１    エッジガイド
Ｐ    印刷装置
Ｗ    ウェブ
【先行技術文献】
【特許文献】
【００４１】
【特許文献１】特開２００３−２４６５１７号公報
【特許文献２】特開２００４−０７５２０２号公報
【特許文献３】特開２００５−００１８５８号公報
【特許文献４】特開２００３−３２７３５６号公報
【特許文献５】特開２００６−２４８７２２号公報
【図１】
0005605113.tif 000002
【図２】
0005605113.tif 000003
【図３】
0005605113.tif 000004
【図４】
0005605113.tif 000005
【図５】
0005605113.tif 000006
【図６】
0005605113.tif 000007
【図７】
0005605113.tif 000008